(57)【要約】      （修正有）【課題】薄型化が可能で使用寿命が長いノート型パソコンタッチ制御装置を提供する。【解決手段】ノート型パソコンタッチ制御装置は、第１本体１０と、第２本体１１と、少なくとも１つのタッチ制御モジュール１１３と、を含み、前記第１本体１０は、表示モジュール１０１を有し、前記第２本体は、相対する第１本体に軸回転可能に接合し、該第１本体は、該第２本体に相対して選択的に被さり合うか、開放し、且つ該表示モジュール１０１に相対する主表面１１１を有する。前記タッチ制御モジュール１１３は、該主表面上に設置され、且つ前記第２本体に電気接続し、該タッチ制御モジュールは、トランスミッタ及び複数のレシーバを含み、該トランスミッタは、該レシーバと相対設置し、タッチ制御空間を共同定義する。【選択図】図１
0003177653.tif 000002
【実用新案登録請求の範囲】
【請求項１】
第１本体と、第２本体と、少なくとも１つのタッチ制御モジュールと、を含み、
前記第１本体は、表示モジュールを有し、該表示モジュールは、該第１本体上に設けられ、
前記第２本体は、相対する第１本体に軸回転可能に接合し、該第１本体は、該第２本体に相対的に被さり合い、該第２本体に相対して開き、
該第２本体は、該表示モジュールに相対する主表面を有し、
前記タッチ制御モジュールは、該主表面上に設置され、該第２本体に電気的に接続し、該タッチ制御モジュールは、トランスミッタ及び複数のレシーバを有し、該トランスミッタは、該レシーバと相対して設置され、タッチ制御空間を形成するノート型パソコンタッチ制御装置。
【請求項２】
前記第２本体内にホストモジュールを有し、該ホストモジュールは、それぞれ該表示モジュール及びタッチ制御モジュールに電気的に接続する請求項１に記載のノート型パソコンタッチ制御装置。
【請求項３】
前記第２本体は、更に溝部を有し、該溝部は、該主表面上に凹設され、該溝部は、第１側壁、第２側壁、該第１側壁に相対する第３側壁及び該第２側壁に相対する第４側壁を有し、該トランスミッタは、前記第１、第２側壁上にそれぞれ設置し、該レシーバは、前記第３、第４側壁上にそれぞれ設置される請求項１に記載のノート型パソコンタッチ制御装置。
【請求項４】
前記トランスミッタは、光学方式であり、信号を前記レシーバに発し、受信させる請求項１に記載のノート型パソコンタッチ制御装置。
【請求項５】
前記光学方式は、赤外線である請求項４に記載のノート型パソコンタッチ制御装置。
【請求項６】
前記タッチ制御空間は、仮想キーボード及び仮想マウス及び仮想手書きパッドの何れか１つを切り換え形成することができる請求項１に記載のノート型パソコンタッチ制御装置。
【請求項７】
前記仮想キーボードは、更に、複数の仮想プッシュボタンを有する請求項６に記載のノート型パソコンタッチ制御装置。
【請求項８】
前記仮想プッシュボタンは、異なる語系の仮想プッシュボタンを有する請求項７に記載のノート型パソコンタッチ制御装置。
【請求項９】
前記仮想プッシュボタンは、複数の符号プッシュボタン及び複数の文字プッシュボタンを有する請求項８に記載のノート型パソコンタッチ制御装置。
【考案の詳細な説明】
【技術分野】
【０００１】
本考案は、ノート型パソコンの体積及び重量を減少し、その使用寿命を延長することができるノート型パソコンタッチ制御装置に関する。
【背景技術】
【０００２】
科学技術情報の絶え間ない進歩に伴い、パソコン、ノート型パソコン及びタブレットＰＣは、現在の生活又は仕事において、不可欠な電子装置の１つであり、指向を入力することに用いるキーボードは、該パソコンが不可欠なハードウェア周辺装置の１つであり、文字、数字又はコマンド等を入力することに用いる。
【０００３】
現在、多くのパソコン使用者は、ＣＰＵ、メモリ、ハードディスク、グラフィックカード等のパソコンの性能と直接関連するハードウェア装置を重視し、キーボード及びマウス等の入力装置に対しても重視し始め、なぜならば、多くのパソコン使用者は、ＣＰＵが既に性能が比較的強大であり、その性能が大多数の家庭用又はオフィス用の要求を満足することができることを徐々に認め、人と機械のインタラクションを行う媒介となるキーボード及びマウス等の入力ポインティング装置こそがコンピュータを使用する時の接触が最多の部材であるので、マウス及びキーボードに対する選択は、非常に重要である。
【０００４】
従来のノート型パソコン又はタブレットＰＣのキーボード構造は、主要な型式が機械式であり、それは、複数のプッシュボタン上蓋を含み、複数のプッシュボタンの位置に基づき配列する円孔のパッド、及び基板下方に置かれるゴム片を有し、パッド上の各円孔辺縁に一対の直径的に外向きに延伸する位置限定溝を設け、各プッシュボタン上蓋の底側面上に円管体及び一対の弾性フックを接続する。前記円管体の一端は、パッドの各円孔を通過し、該パッドの各円孔と同軸に滑動接触し、且つ同時に該一対の弾性フックは、該パッドの２つの位置限定溝を通過して、該上蓋を該パッドの各円孔と同軸に相対滑動させる時、上向きに脱出し、ゴム片の上側面に複数のパッドの円孔に対応するフレキシブル突起を設け、該フレキシブル突起が各案件の上蓋の円管体を受けて下向きの押圧を受けて、ゴム片下方に置かれる回路を具える導電薄膜を下向きに押圧し、従って、対応信号を起動することができ、その後、該フレキシブル突起の上向きにプッシュボタンを押圧し元の位置に回復する。
【０００５】
しかしながら、現在、軽薄短小が、ノート型パソコン及びタブレットＰＣの設計目標及び要求であり、そのうち、全てのパソコンの各部材の厚さは、何れも既により薄くすることができない極限に至っているので、プッシュボタンの上蓋の高さをできるだけ低減し、プッシュボタン全体の厚さを縮小し、該ノート型パソコン全体の厚さを薄くすることを明確に達成できることが望まれる。但し、ノート型パソコンの共通規格の要求において、該プッシュボタン上蓋が下向きに押圧されて変位行程は、少なくともある最小値より大きくなければならないよう制限され、該最小値は、通常３ｍｍであり、即ち、操作者が入力使用時、それを押下する操作行程（下変位量）を３ｍｍより小さくすることができず、これは、人が入力する時、手指交換の速度は、かならず、キーボードの単一押圧信号伝達の速度より速くあることができず、先の信号が伝送を完了しておらず、操作者の手指を押圧し、離れた後、プッシュボタンに応じて、後の信号及び先の信号が重なり合って、パソコンが該後の信号を受信できなくなることを回避するので、プッシュボタンが下向きに変位された量がある最小値を保持しなければならない。弾性フックの長さを短縮する場合、必然的にキーボート上蓋の高さを低減し、操作行程の短縮を達成することができるが、そうすると、キーボード上蓋が製品規格の要求に適合しなくなる。
【０００６】
このため、ある業者は、軽薄の設計目標の為、上記従来の該機械式プッシュボタンの応用を破棄し、元の機械式プッシュボタンの入力構造を、タッチ制御式入力装置を採用するようにし、該タッチ制御式装置は、容量式タッチ制御方式を使用し、その構造は、外から内向きにそれぞれ、最外層が保護層であり（ガラス又はアクリルであることができる）、その次が薄い二酸化シリコン硬化処理層であり、その後、インジウム錫酸化物（ＩＴＯ）薄膜であり、該ガラス表面が均一電場を確立し、人体の微弱な電流を感知する方式でタッチ制御入力の目的を達成し、該タッチ式入力装置は、該ノート型パソコンの全体の厚さを効率的に大幅に薄型化することができるが、コストが高く且つその材料が疲労を起こし、使用寿命を短縮させる。
【０００７】
上記のように、従来技術は、以下の欠陥を有する。
1. 体積が大き過ぎ且つ重い。
2. コストが高い。
3. 寿命が短い。
【０００８】
従って、上記従来の問題及び欠陥を如何に解決するかが、本願の考案者及び本業界に従事する関連業者が研究改善の方向を欲するところである。
【考案の概要】
【考案が解決しようとする課題】
【０００９】
これに鑑み、上記の問題を効率的に解決する為、本考案の目的は、ノート型パソコンの体積の厚さを大幅に薄型化し、且つ重量を軽くすることができるノート型パソコンタッチ制御入力装置を提供することにある。
【００１０】
本考案のもう１つの目的は、ノート型パソコンの使用寿命の長さを延長可能なノート型パソコンタッチ制御入力装置を提供することにある。
【課題を解決するための手段】
【００１１】
上記の問題を達成する為、本考案が提供するノート型パソコンタッチ制御装置は、第１本体と、第２本体と、少なくとも１つのタッチ制御モジュールと、を含み、前記第１本体は、表示モジュールを有し、該表示モジュールは、該第１本体上に設けられ、前記第２本体は、相対する第１本体に軸回転可能に接合し、該第１本体は、該第２本体に選択的に被さり合うか、該第２本体に相対して開き、且つ該第２本体は、該表示モジュールに相対する主表面を有し、前記タッチ制御モジュールは、該主表面上に設置され、且つ前記第２本体に電気接続し、該タッチ制御モジュールは、トランスミッタ及び複数のレシーバを含み、該トランスミッタは、該レシーバと相対設置し、タッチ制御空間を共同定義する。
【考案の効果】
【００１２】
前記ノート型パソコンタッチ制御装置を介し、前記トランスミッタ及びレシーバを前記主表面のタッチ制御モジュール上に定義したタッチ制御空間に対応設置することを利用し、従来のキーボード又はポインティング装置に取って代わり、従来のキーボード及びポインティング装置の体積が過度に大きく且つ過度に多くの空間を占有する欠陥を改善し、ノート型パソコンの体積の厚さを大幅に薄型化し、且つ重量を軽くすることができる。この他、ノート型パソコンの使用寿命の長さを延長することができる。
【図面の簡単な説明】
【００１３】
【図１】本考案のノート型パソコンタッチ制御装置の第１実施例の立体図である。
【図２】本考案のノート型パソコンタッチ制御装置の第１実施例の立体組み合わせ図である。
【図３】本考案のノート型パソコンタッチ制御装置の第１実施例の局部拡大図である。
【図４】本考案のノート型パソコンタッチ制御装置の第１実施例の立体透視図である。
【図５】本考案のノート型パソコンタッチ制御装置の第１実施例の立体説明図である。
【図６】本考案のノート型パソコンタッチ制御装置の第２実施例の立体説明図である。
【図７】本考案のノート型パソコンタッチ制御装置の第２実施例の他の立体説明図である。
【図８】本考案のノート型パソコンタッチ制御装置の第３実施例の立体図である。
【考案を実施するための形態】
【００１４】
本考案の上記目的及びその構造及び機能上の特性は、図面に基づく好適実施例を挙げて説明する。
【００１５】
図１、図２、図３、図４を参照し、それは、本考案のノート型パソコンタッチ制御装置の第１実施例の立体分解図、立体組み合わせ図、局部拡大図及び立体透視図であり、図に示すように、ノート型パソコンタッチ制御装置１は、第１本体１０と、第２本体１１と、少なくとも１つのタッチモジュール１１３と、を含み、前記第１本体１０は、表示モジュール１０１を有し、該表示モジュール１０１は、該第１本体１０上に設けられ、前記第２本体１１は、相対する第１本体１０を軸回転可能に接合し、該第１本体１０は、該第２本体１１に選択的に相対し、被さり合うか開放の動作を行い、且つ該第２本体１１は、該表示装置１０１に相対する主表面１１１を有する。
【００１６】
前記タッチ制御モジュール１１３は、前記の主表面１１１上に設置され、該第２本体１１を電気接続し、該タッチ制御モジュール１１３は、複数のトランスミッタ１１３１及び複数のレシーバ１１３２を含み、該トランスミッタ１１３１は、該レシーバ１１３２と対応設置し、タッチ制御空間１１３３を共同定義し、該第２本体１１内にホストモジュール１１２を含み、該ホストモジュール１１２は、該表示装置１０１及びタッチ制御モジュール１１３をそれぞれ電気接続する。
【００１７】
前記トランスミッタ１１３１は、光学方式を利用し、信号を前記レシーバ１１３２に受信させるよう発し、且つ該光学方式は、赤外線の方法を利用し、信号を前記レシーバ１１３２に受信させるように発する。
【００１８】
図５を参照し、それは、本考案のノート型パソコンタッチ制御装置１の第１実施例の立体説明図であり、前記タッチ制御空間１１３３は、仮想キーボード１１３４を形成し、該仮想キーボード１１３４が更に複数の仮想プッシュボタン１１３５を有し、該仮想プッシュボタン１１３５は、異なる語系を有し、該仮想プッシュボタン１１３５は、複数の符号仮想プッシュボタン１１３５ａ及び複数の文字仮想プッシュボタン１１３５ｂを含む。従って、本考案のノート型パソコンタッチ制御装置１の構造設計を介し、前記トランスミッタ１１３１及びレシーバ１１３２が共同定義した前記タッチ制御空間１１３３を共同定義し、使用者が該ノート型パソコンを使用したい場合、先ず、物体（手指又は筆又はその他の操作制御装置であることができる）２が該第２本体１１の主表面１１１上のタッチ制御モジュール１１３に接触し、その発信及び受信する信号が外来物体２の阻害を受けることにより、使用者が必要な文字又は符号を定位し、識別し、発生する文字又は符号は、前記第１本体１０の表示モジュール１０１上に表示され、従来の機械式キーボードがノート型パソコンの体積を過度に大きくし且つ過度に多くの空間を占有する等の欠陥を改善し、ノート型パソコンの体積の厚さを大幅に薄型化し、且つ重量を比較的軽くする。この他、前記トランスミッタ１１３１は、光学方式を利用し、信号を前記レシーバ１１３２に発し、受信させ、従来のタッチ制御式入力装置が容量式タッチ制御方式を利用し、その材料が疲労し易い問題を起こすものに取って代え、ノート型パソコンの使用寿命の長さを大幅に向上する。
【００１９】
図６、図７を参照し、それは、本考案のノート型パソコンタッチ制御装置の第２実施例の立体説明図であり、前記ノート型パソコンタッチ制御装置の一部の部材と部材の間の相対する関係は、前記ノート型パソコンタッチ制御装置と同一であるので、ここでは再度記載せず、本ノート型パソコンタッチ制御装置及び前記の主要な差異は、前記タッチ制御空間１１３３は、仮想マウス１１３６及び仮想手書きパッド１１３７のうちの何れか１つを形成することができ、同様にその体積の厚さを薄くさせ且つ重量を軽くする効果を達成することができる。
【００２０】
図８を参照し、それは、本考案のノート型パソコンタッチ制御装置の第３実施例の立体図であり、前記ノート型パソコンタッチ制御装置の一部の部材と部材の間の相対する関係は、前記ノート型パソコンタッチ制御装置と同一であるので、ここでは再度記載せず、本ノート型パソコンタッチ制御装置及び前記の主要な差異は、前記第２本体１１は、更に溝部１１２１を有し、該主表面１１１上に凹設し、該溝部１１２１は、第１側壁１１２１ａ、第２側壁１１２１ｂ、該第１側壁１１２１ａに相対する第３側壁１１２１ｃ及び該第２側壁１１２１ｂに相対する第４側壁１１２１ｄを有し、該トランスミッタ１１３１は、前記第１、第２側壁１１２１ａ，１１２１ｂ上にそれぞれ設置され、該レシーバ１１３２は、それぞれ前記第３、第４側壁１１２１ｃ，１１２１ｄに設置され、且つそれぞれ前記第１、第２側壁１１２１ａ、１１２１ｂ上の該トランスミッタ１１３１に相対する。前記構造設計を介し、前記トランスミッタ１１３１は、光学方式を利用し、信号を該レシーバ１１３２に発し、共同定義するタッチ制御空間１１３３を利用し、従来のノート型パソコンが機械式キーボードにより厚さが過度に大きく且つ過度の空間を占有するという欠陥を起こすことに取って代わり、ノート型パソコンの体積の厚さを大幅に薄型化し、且つ重量を軽くすることができる。
【００２１】
上記のように、本考案は、従来に比較し、以下の利点を有する。
1. 体積が薄い。
2. コストが低い。
3. 寿命が長い。
【００２２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２３】
１          ノート型パソコンタッチ制御装置
１０        第１本体
１０１      表示モジュール
１１        第２本体
１１１      主表面
１１２      ホストモジュール
１１２１    溝部
１１２１ａ  第１側壁
１１２１ｂ  第２側壁
１１２１ｃ  第３側壁
１１２１ｄ  第４側壁
１１３      タッチ制御モジュール
１１３１    トランスミッタ
１１３２    レシーバ
１１３３    タッチ制御空間
１１３４    仮想キーボード
１１３５    仮想プッシュボタン
１１３５ａ  符号プッシュボタン
１１３５ｂ  文字仮想プッシュボタン
１１３６    仮想マウス
１１３７    仮想手書きパッド
２          物体
【図１】
0003177653.tif 000003
【図２】
0003177653.tif 000004
【図３】
0003177653.tif 000005
【図４】
0003177653.tif 000006
【図５】
0003177653.tif 000007
【図６】
0003177653.tif 000008
【図７】
0003177653.tif 000009
【図８】
0003177653.tif 000010